(57)【特許請求の範囲】
【請求項１】
略平板状に形成した薄板状の主体と、この主体の表面および裏面に突設した離隔体と、前記主体に設けた背負い収容体への取付手段とからなる背負い収容体用背当て具にあって、
前記離隔体は、前記主体からの切り起こしにより形成され、該切り起こしは、前記主体にあって、横方向および縦方向に対して、前記表面側と裏面側とを交互に形成させたことを特徴とする背負い収容体用背当て具。
【請求項２】
略平板状に形成した薄板状の主体と、この主体の表面および裏面に突設した離隔体と、前記主体に設けた背負い収容体への取付手段とからなる背負い収容体用背当て具にあって、
前記離隔体は、前記主体からの切り起こしにより形成され、該切り起こしは、前記主体にあって、横方向および縦方向に対して、前記表面側と裏面側とを交互に形成させて前記主体面よりの凸部と凹部とを成形し、
該隣り合う前記表面側と裏面側との凸部または凹部は、互いに通気し得るように連通路を形成させたことを特徴とする背負い収容体用背当て具。
【請求項３】
連通路は、主体の周端縁に臨ませたことを特徴とする請求項２記載の背負い収容体用背当て具。
【発明の詳細な説明】
【０００１】
【産業上の利用分野】
本発明は、リュックサック等の背負い収容体を背負った際の発汗によるムレやべたつきなどを防止することができる背負い収容体用背当て具に関する。
【０００２】
【従来の技術】
従来、リュックサック等の背負い収容体を背負った際、このリュックサックに当たる部分において、発汗によるムレやべたつきなどを防止するための用具は種々市場提供されているもので、例えば、図５に示すように、立体的で間隔の多い立体織物（ハニカムメッシュ）により成形した背当カバー本体６０を、背負い鞄の背当部に着脱自在に装着するもので、装着手段６１により背負い鞄へ止め付けて使用するものが知られている。
【０００３】
このものは、図５（ｂ）に示すように、ハニカム構造に成形された多数の通気口６２，６２…を有するので、これにより、同図に示すように、背中とリュックサック面との接触部に通気（矢印ｘ）のための空間が形成されるが、この通気口６２は、側方の通気（矢印ｙ）に対しては、通気口６２の側部が壁を形成して全く行うことができないため、前記背中とリュックサック面との接触部に対しての換気を行うことができない。しかも、背当カバー本体６０の周端縁は、布部材等により縁取りを施しているため、同様に、この本体６０内の換気を行うことができない。
【０００４】
また、図６に示すものは、竹などによる多数本の横向きの棒材６３を間隔的に並べて、繋ぎ材６４により結合させて成形させてあるもので、装着手段６１により背負い鞄へ止め付けて使用するものである。
【０００５】
このものは、横方向に一連の隙間６５が間隔的に設けられているため、背中とリュックサック面との接触部に対する通気性は向上するものであるが、背中との当接部は直線状に当たるのでムレを生ずると共に、該棒材６３に可撓性を有していないため、前記背中およびリュックサック面との丸みに馴染みにくく、使用感が悪いものであった。
【０００６】
【発明が解決しようとする課題】
本発明は、前記した問題点を解決するためになされたもので、略平板状に形成した薄板状の主体の表面および裏面に離隔体を突設し、主体に背負い収容体への取付手段を設けた背負い収容体用背当て具にあって、離隔体は、主体からの切り起こしにより形成され、該切り起こしは、主体にあって、横方向および縦方向に対して、表面側と裏面側とを交互に形成させることにより、背中と背負い収容体との接触部に対して、左右および上下方向のいずれにおいても良好に通気を行うことができてムレやべたつきを防止でき、しかも、背中と背負い収容体とに馴染んで使用感を損なうことがない背負い収容体用背当て具を提供することを目的としている。
【０００７】
【課題を解決するための手段】
前記した目的を達成するための本発明の手段は、
略平板状に形成した薄板状の主体と、この主体の表面および裏面に突設した離隔体と、前記主体に設けた背負い収容体への取付手段とからなる背負い収容体用背当て具にあって、
前記離隔体は、前記主体からの切り起こしにより形成され、該切り起こしは、前記主体にあって、横方向および縦方向に対して、前記表面側と裏面側とを交互に形成させた背負い収容体用背当て具の構成にある。
【０００８】
そして、
略平板状に形成した薄板状の主体と、この主体の表面および裏面に突設した離隔体と、前記主体に設けた背負い収容体への取付手段とからなる背負い収容体用背当て具にあって、
前記離隔体は、前記主体からの切り起こしにより形成され、該切り起こしは、前記主体にあって、横方向および縦方向に対して、前記表面側と裏面側とを交互に形成させて前記主体面よりの凸部と凹部とを成形し、
該隣り合う前記表面側と裏面側との凸部または凹部は、互いに通気し得るように連通路を形成させた背負い収容体用背当て具の構成にある。
【０００９】
また、連通路は、主体の周端縁に臨ませる。
【００１０】
【実施例】
次に、本発明に関する背負い収容体用背当て具の一実施例を図面に基づいて説明する。
図１および図４においてＡは、背負い収容体ｂを背中ｃに背負ったときにおいて、該背中ｃと背負い収容体ｂとの間に介在させる背負い収容体用背当て具であって、主体１と、離隔体２と、取付手段３とにより基本的に構成される。
【００１１】
そして、前記した主体１は、合成樹脂等により薄板状で可撓性を有する略平板状に形成してあって、人体の背中ｃの大きさに見合うように成形してある。
【００１２】
前記した離隔体２は、主体１の表面および裏面に突設してあって、該主体１からの表面側および裏面側への切り起こしにより形成され、該切り起こしは、主体１にあって、横方向および縦方向に対して、前記表面側と裏面側とを交互に形成させることで主体１面よりの凸部２ａと凹部２ｂとに成形してある。
【００１３】
なお、この離隔体２の成形にあっては、主体１の成形と同時に、すなわち、一体的に形成させることができるもので、凸部２ａと凹部２ｂとの中間部にあっては接続部４を形成して、これら凸部２ａと凹部２ｂとが主体１と分離しないようにしてある。
【００１４】
また、前記隣り合う表面側と裏面側とにおける凸部２ａまたは凹部２ｂは、図３（ｂ）に示すように、互いに通気し得るように連通路ｓを形成させてあるもので、しかも、この連通路ｓは、主体１の周端縁１ａ，１ａ，１ａ，１ａに臨ませてある。
これにより、背中ｃの熱気やムレなどはこの連通路ｓを通って背負い収容体ｂ側に抜けると共に、主体１の一方の周端縁１ａから流入した新鮮外気Ｄは、該連通路ｓを通過するとき、背中ｃに送り込まれたり、この連通路ｓにおいて熱交換をして他方の周端縁１ａから排出されるものである。
【００１５】
なお、該離隔体２の凸部２ａにおける背中ｃとの当接部は、できるだけ点接触するように当接面積を小さくしておけば、ムレが少なく、大きな連通路ｓが得られて内外の換気も良好に行われる。
【００１６】
前記した取付手段３は、主体１に設けて該主体１を背負い収容体ｂへ止め付けるものであって、紐やベルト等の適宜な接続具を使用するもので、主体１の周部へ取付孔５を設けておけば、この取付孔５と背負い収容体ｂの頂部やショルダベルト部などに掛け渡して容易に離脱しないようにすることができる。
なお、この取付手段５は、主体１において間隔的に複数箇所に設けることができるもので、これにより、安定的でかつ確実に背負い収容体ｂへ止め付けることができる。
【００１７】
したがって、前記のように構成される本発明に係る実施例の背負い収容体用背当て具Ａは、以下に述べる作用を奏する。
まず、この背負い収容体用背当て具Ａを、主体１に設けた取付手段３により、背負い収容体ｂの背部においてその頂部や下部両側部などへ取り付けて、該背負い収容体ｂの背部へ添わせておく。
【００１８】
この状態で、背負い収容体ｂを背負えば、該背負い収容体用背当て具Ａが背中ｃと背負い収容体ｂとの間に介在するもので、主体１に設けた離隔体２における凸部２ａが略点接触により背中ｃへ当たり、かつ、この凸部２ａに隣接する凹部２ｂは背中ｃへの当接が無く隙間ができた状態であるため、背中ｃと背負い収容体ｂとの密着が妨げられる。
【００１９】
そのため、この背負い収容体ｂを背負っているときは、主体１の周縁部に臨ませた離隔体２における連通路ｓから新鮮な外気Ｄが流入あるいは流通して、この連通路ｓ内において熱交換が行われるので、可及的に発汗を抑える。
【００２０】
しかし、長時間の背負い収容体ｂの使用や過運動などによって体温の上昇があっても、背中ｃから発せられる熱気は、離隔体２における凹部２ｂから連通路ｓに流入して、主体１の周縁部から外気へ速やかに抜けるため、背中ｃと背負い収容体ｂとの間に熱気がこもることなく、背中ｃは、常にさわやかな状態に維持される。
【００２１】
また、背中ｃの発汗時に、背負い収容体ｂを背負っても、背負い収容体用背当て具Ａが背中ｃと背負い収容体ｂとの間に介在していることで、主体１の周縁部に臨ませた離隔体２における連通路ｓから新鮮な外気Ｄが、背中ｃと背負い収容体ｂとの間へ流入あるいは流通して、直に背中ｃの発汗を抑え、発汗に起因するベトツキを解消することができる。
【００２２】
【発明の効果】
前述のように構成される本発明は、主体に設けた離隔体が背中と背負い収容体との間に介在するので、背中からの熱は速やかに外気へ放出され、ムレや発汗などが抑えられる。
特に、離隔体に設けた連通路は、主体の周縁部に臨ませてあるため、背中と背負い収容体との間に対する外気の流入や熱気の放散が円滑に行われて、背負い収容体の長時間の使用や過運動時にあっても、快適な使用感が得られる。等の格別な効果を奏するものである。
【図面の簡単な説明】
【図１】本発明に関する背負い収容体用背当て具の一実施例を示す正面図である。
【図２】図１における背負い収容体用背当て具の離隔体の一部を示す斜視図である。
【図３】図２における背負い収容体用背当て具の離隔体を示すもので、（ａ）は図２におけるｎ−ｎ線の断面図を、（ｂ）は図２におけるｍ−ｍ線の断面図をそれぞれ示す。
【図４】図１における背負い収容体用背当て具の使用状態を示す説明図である。
【図５】従来の背当てを示すもので（ａ）は正面図を、（ｂ）は（ａ）における丸部の拡大斜視図をそれぞれ示す。
【図６】従来の他の例の背当てを示す斜視図である。
【符号の説明】
Ａ      背負い収容体用背当て具
ｂ      背負い収容体
１      主体
２      離隔体
２ａ    凸部
２ｂ    凹部
３      取付手段
ｓ      連通路
【図１】
0004116777.tif 000002
【図２】
0004116777.tif 000003
【図３】
0004116777.tif 000004
【図４】
0004116777.tif 000005
【図５】
0004116777.tif 000006
【図６】
0004116777.tif 000007